(57)【要約】【課題】施工が容易で、都市の街並みや住宅のたたずまいによくマッチする門扉。【解決手段】横框２と縦框３とによる方形框にパネル４を取り付けた門扉１であって、横框２または縦框３の内面側にパネル固定金具５を取り付け、このパネル固定金具５には框の内面に固定する固着部７とパネル取付部９とを設け、パネル取付部９には、框の表面と面一とするフランジ部１０とフランジ部１０の表面から垂直に突出した凸部１１とを形成し、框とフランジ部１０の表面にパネル４を当接するとともにこの凸部１１をパネル４に形成した貫通孔１５に貫通させ、パネル４をフランジ部１０と凸部１１の先端側の止め部材１８との間に挟持固定した。【選択図】図４
2006257798.tif 000002
【特許請求の範囲】
【請求項１】
上下の横框と左右の縦框とによる方形の框にパネルを取り付けた門扉であって、上記横框または縦框の内面側にパネル固定金具を取り付け、このパネル固定金具には上記框の内面に固定する固着部とパネル取付部とを設け、パネル取付部には、上記框の表面と面一とするフランジ部とフランジ部の表面から垂直に突出した凸部とを形成し、上記框とフランジ部の表面にパネルを当接するとともにこの凸部をパネルに形成した孔に貫通させ、パネルを上記フランジ部と凸部の先端側に設けられた止め部材との間に挟持固定したことを特徴とする門扉。
【請求項２】
前記パネルには、前記一方の縦框の、把手、錠等の台座用取付部に対応する部分を切欠き形成した、請求項１記載の門扉。
【発明の詳細な説明】
【技術分野】
【０００１】
本発明は、特にアクリル樹脂やガラスなどのパネルを主体とした門扉に関するものである。
【背景技術】
【０００２】
一般に、門扉は横框と左右の縦框とによる方形の框に縦または横の格子を取り付けたものが多い。通常は金属の押出型材製のものや鋳物製のものが多い。加えて、最近は合成樹脂に木粉を混入させて木製であるかのような質感を出す材料により構成されたものも知られている。これによれば、耐候性や耐腐食性や強度に優れるとともに、自然な木質感による暖かみが出せるので、特に大きな庭がある家や地方の住宅などのように、自然に囲まれたり、植生に富み、人工構造物の少ない地域では環境にも適合するものとして受け入れられている。
【特許文献１】特開平９−２７３３７１号公報
【発明の開示】
【発明が解決しようとする課題】
【０００３】
しかしながら、都市型住宅は狭小地に建てられ、建物は密集しているとともに、コンクリートのような人工的造作が多く、庭も小さいので、その敷地の門扉として重厚な金属鋳物や自然の竹垣を模したようなものは不似合いである。
【０００４】
本発明は上記問題点を解消し、特に施工が容易で、都市の街並みやコンクリート構造が多い住宅のたたずまいにもよくマッチする門扉を提供することをその課題とする。
【課題を解決するための手段】
【０００５】
前記課題を解決するため、請求項１に係る発明は、上下の横框と左右の縦框とによる方形の框にパネルを取り付けた門扉であって、上記横框または縦框の内面側にパネル固定金具を取り付け、このパネル固定金具には上記框の内面に固定する固着部とパネル取付部とを設け、パネル取付部には、上記框の表面と面一とするフランジ部とフランジ部の表面から垂直に突出した凸部とを形成し、上記框とフランジ部の表面にパネルを当接するとともにこの凸部をパネルに形成した孔に貫通させ、パネルを上記フランジ部と凸部の先端側に設けられた止め部材との間に挟持固定したことを特徴とする。
【０００６】
請求項２に係る発明は、前記パネルには、前記一方の縦框の、把手、錠等の台座用取付部に対応する部分を切欠き形成したことを特徴とする。
【発明の効果】
【０００７】
請求項１に係る発明によれば、パネルの取り付けにあたっては、横框または縦框の内面側に取り付けられた固定金具の凸部をパネルの貫通孔に貫通させるが、固定金具のフランジ部は框の表面と面一であり、凸部はフランジ部の表面から垂直に突出しているので、パネルの上部の貫通孔に上記凸部を貫通させれば、下部の貫通孔も自然に下部の凸部に貫通することになり、パネルを凸部に保持させた状態で、フランジ部と止め部材との間に挟持固定することができる。したがって、取り付け作業を容易に行なうことができる。
【０００８】
また、パネルを正面側（道路側）から見れば、ほとんどがパネルであり（止め部材は小さい）、透光性を有するから狭小地に設置されても敷地が実際よりも広く感じられ、住み心地がよく、従来とは全く異なる素材を主構成部材とするものであるから、コンクリートのような人工的造作の多い都市型の住宅や都市の街並みにもよくマッチする。
【０００９】
請求項２に係る発明によれば、パネルには、一方の縦框の、把手、鍵又は錠およびサムターン用台座の取付部に対応する部分を切欠き形成したので、上記台座は上記縦框に直接に固定することができる。台座をパネルを介して縦框に固定する構成では、台座がぶれやすいので好ましくないが、直接固定なので、台座を縦框に対して強固に安定した状態で固定することができる。
【発明を実施するための最良の形態】
【００１０】
図１は門の内観図、図２はそのＸ−Ｘ線上の断面図、図３は要部の拡大断面図、図４はパネル取り付け部分の分解斜視図であり、図５は台座取り付け前の門扉の正面図である。
【００１１】
図において符号Ａは門柱、１は門扉を示す。門扉１は横框２と左右の縦框３とによる方形の框にパネル４を取り付けたものであって、上記縦框３の内面側にパネル固定金具５が取り付けられ、このパネル固定金具５にパネル４が取り付けられている。
【００１２】
一方の縦框３の上部には把手、鍵又は錠およびサムターン用の台座６が取り付けられている。
【００１３】
パネル固定金具５は、図４に示されるように、上記縦框３に固定される固着部７と、固着部７の中央から垂直に立ち上げられたアーム部８と、アーム部８の先端に設けられたパネル取付部９とからなり、パネル取付部９にはフランジ部１０とフランジ部１０の表面の中心から垂直に突出した円軸状の凸部１１とが形成されている。フランジ部１０の表面は平面で、その上下部に突起１２が形成されている。凸部１１の中心には雌ネジ１３が形成されている。また、凸部１１の先端１１ａは外方に膨出している。パネル固定金具５は左右両側の縦框３の相対する内面の同じ高さ位置に、上記固着部７をビス止めすることによって固定されている。
【００１４】
パネル４は透光性を有するアクリル樹脂によって構成されているが、ガラス板や他の樹脂板であってもよい。パネル４にはパネル固定金具５の凸部１１に対応する位置に、凸部１１が貫通する大きさの貫通孔１５が形成されている。
【００１５】
なお、図５に示されるように、上記パネル４には、上記一方の縦框３の、把手、鍵又は錠およびサムターン用台座６を取り付けるための取付部６ａに対応する部分１６が切欠き形成されている。
【００１６】
次に、上記パネル固定金具５にパネル４を取り付ける場合は、図４のように傷防止プレート１７と止め部材１８とを使用する。傷防止プレート１７はドーナツ状に形成された樹脂板で、中央にはパネル取付部９の凸部１１よりもやや大きい孔１９が形成され、この孔１９のまわりに等間隔に４個の小孔２０が形成されている。止め部材１８も円板状に形成され、中央にはビス２１の挿通孔２２が形成され、背面にはパネル取付部９の突起１２と同様の突起（図示せず）が形成されている。
【００１７】
次に、上記パネル固定金具５にパネル４を取り付けるときは、図３、図４に示されるように、パネル固定金具５の凸部１１に傷防止プレート１７を取り付けておき、パネル４の貫通孔１５に、対応するパネル固定金具５の凸部１１を貫通させ、パネル４の背面を傷防止プレート１７を介してフランジ部１０の表面に当接させる。そして、パネル４の正面側に傷防止プレート１７を介して止め部材１８を配置し、止め部材１８の中央のビス挿通孔２２からビス２１を挿通し、凸部１１の中央の雌ネジ１３に螺合して締め付け、パネル４を上記フランジ部１０と凸部１１の先端側に設けられた止め部材１８との間に挟持固定する。
【００１８】
なお、傷防止プレート１７はみだりに回転しないように、その小孔２０をフランジ部１０と止め部材１８の突起に嵌合させる。
【００１９】
上述のように、上記門扉１は、固定金具の凸部１１をパネル４の貫通孔１５に貫通させ、パネル４をフランジ部１０と凸部１１の先端側に設けられた止め部材１８との間に挟持固定する構成であるから、取り付け作業も簡単である。
【００２０】
さらに、上記パネル４には、図５に示されるように、一方の縦框３の台座用取付部６ａに対応する部分１６を切欠き形成したので、上記台座６は上記縦框３に直接に固定することができる。台座６をパネル４を介して縦框３に固定する構成では、台座６が振れやすいので好ましくないが、直接固定なので、台座６を縦框３に対して強固に安定した状態で固定することができる。台座６には、図１および図３に示されるように把手２５、鍵２６又は錠２７およびサムターン２８等を取り付ければよい。
【００２１】
次に、上記門扉１を使用するときは、図１および図２に示されるように、門柱Ａにヒンジ金具３１を介して連結すればよい。この場合、門柱Ａも図２に示されるように、上下の横桟３２と左右の縦桟３３とにより構成された骨組に対し、上述の要領で、正面側の横桟３２の上面又は下面にパネル固定金具５を取り付け、これらのパネル固定金具５にパネル４を固定することにより組み立てればよい。また、門柱には取付金具３４を介してポスト３５を取り付けたり、あるいはインターホン３６や照明灯３７などを適宜設けてもよい。
【００２２】
上述のように、門扉１を正面側（道路側）から見れば、ほとんどがパネル４であり、透光性を有するから狭小地に設置されても敷地が実際よりも広く感じられ、住み心地がよく、従来とは全く異なる素材を主構成部材とするものであるから、コンクリートのような人工的造作の多い都市型の住宅や都市の街並みにもよくマッチする。
【図面の簡単な説明】
【００２３】
【図１】門の内観図である。
【図２】図１のＸ−Ｘ線上の断面図である。
【図３】図２の要部の拡大断面図である。
【図４】パネル取り付け部分の分解斜視図である。
【図５】台座取り付け前の門扉の正面図である。
【符号の説明】
【００２４】
２  横框
３  縦框
４  パネル
５  パネル固定金具
９  パネル取付部
１０  フランジ部
１１  凸部
１５  貫通孔
１８  止め部材
【図１】
2006257798.tif 000003
【図２】
2006257798.tif 000004
【図３】
2006257798.tif 000005
【図４】
2006257798.tif 000006
【図５】
2006257798.tif 000007